【手続補正書】
【提出日】平成17年12月22日(2005.12.22)
【手続補正１】
【補正対象書類名】明細書
【補正対象項目名】特許請求の範囲
【補正方法】変更
【補正の内容】
【特許請求の範囲】
【請求項１】
集積紙葉類を搬送路に沿って搬送する搬送手段と、
前記搬送路を遮るように結束帯を送り出し、前記集積紙葉類の搬送により前記結束帯が押し込まれるとき、これに同期して結束帯を繰出して前記集積紙葉類に掛け渡す帯繰出手段と、
この帯繰出手段により、繰出された結束帯を切断する切断手段と、
この切断手段により切断された結束帯の端部を前記集積紙葉類に掛け渡された結束帯のもう一方の端部に接着させる接着手段と、
を具備することを特徴とする紙葉類結束装置。
【請求項２】
集積紙葉類を搬送路に沿って搬送する搬送手段と、
前記搬送路を遮るように結束帯を送り出し、前記集積紙葉類の搬送により前記結束帯が押し込まれるとき、これに同期して結束帯を繰出して前記集積紙葉類に掛け渡す帯繰出手段と、
この帯繰出手段により前記集積紙葉類に掛け渡された結束帯を集積紙葉類に巻き付けるためにその端面に沿って第１の方向に案内する第１の案内手段と、
この第１の案内手段により第１の方向に案内された結束帯を第１の方向と直交する第２の方向に案内して前記集積紙葉類の側面に沿わせる第２の案内手段と、
前記帯繰出手段により繰出された結束帯を切断する切断手段と、
この切断手段により切断された結束帯の端部を前記第２の案内手段により前記集積紙葉類の側面に沿って案内された結束帯のもう一方の端部に接着させる接着手段と、
を具備することを特徴とする紙葉類結束装置。
【請求項３】
集積紙葉類を搬送路の基準面に沿って搬送する搬送手段と、
前記搬送路を遮るように結束帯を送り出し、前記集積紙葉類の搬送により前記結束帯が押し込まれるとき、これに同期して結束帯を繰出して前記集積紙葉類に掛け渡す帯繰出手段と、
この帯繰出手段により前記集積紙葉類に掛け渡された結束帯を集積紙葉類に巻き付けるためにその端面に沿って第１の方向に案内し、その案内方向の先端を前記搬送路の基準面から一定の位置に位置決めする第１の案内手段と、
この第１の案内手段により、第１の方向に案内された結束帯を第１の方向と直交する第２の方向に案内して前記集積紙葉類の側面に沿わせる第２の案内手段と、
前記帯繰出手段により繰出された結束帯を切断する切断手段と、
この切断手段により切断された結束帯の端部を前記第２の案内手段により前記集積紙葉類の側面に沿って案内された結束帯のもう一方の端部に接着させる接着手段と、
を具備することを特徴とする紙葉類結束装置。
【請求項４】
集積紙葉類を搬送する搬送手段と、
この搬送手段により搬送される集積紙葉類に結束帯を繰出して掛け渡したのち、結束帯を繰出し方向とは逆の方向に引き戻して結束帯の弛みを除去する帯繰出手段と、
この帯繰出手段を駆動する駆動手段と、
前記帯繰出手段による結束帯の引き戻し時に所定のトルクが発生したとき、前記駆動手段から前記帯繰出手段への駆動力の伝達を遮断する動力遮断手段と、
この動力遮断手段により、前記帯繰出手段への駆動力の伝達が遮断されたのち、前記結束帯を切断する切断手段と、
この切断手段により切断された結束帯の端部を前記集積紙葉類に掛け渡された結束帯のもう一方の端部に接着させる接着手段と、
を具備することを特徴とする紙葉類結束装置。
【請求項５】
集積紙葉類を搬送路に沿って搬送する搬送手段と、
前記搬送路を遮るように結束帯を送り出し、前記集積紙葉類の搬送により前記結束帯が押し込まれるとき、これに同期して結束帯を繰出して前記集積紙葉類に掛け渡す帯繰出手段と、
この帯繰出手段を駆動する駆動手段と、前記帯繰出手段により前記集積紙葉類に掛け渡された結束帯を集積紙葉類に巻き付けるためにその端面に沿って第１の方向に案内する第１の案内手段と、
この第１の案内手段により第１の方向に案内された結束帯を第１の方向と直交する第２の方向に案内して前記集積紙葉類の側面に沿わせて保持する第２の案内手段と、
この第２の案内手段により前記結束帯の端部が保持された状態で、前記駆動手段を逆駆動させて前記結束帯を引き戻すことにより、その弛みを除去させる制御手段と、前記結束帯の引き戻し時に所定のトルクが発生したとき、前記駆動手段から前記帯繰出手段への駆動力の伝達を遮断する動力遮断手段と、
この動力遮断手段により、前記帯繰出手段への駆動力の伝達が遮断されたのち、前記結束帯を切断する切断手段と、
この切断手段により切断された結束帯の端部を前記第２の案内手段により前記集積紙葉類の側面に沿って案内保持された結束帯のもう一方の端部に接着させる接着手段と、
を具備することを特徴とする紙葉類結束装置。
【請求項６】
集積紙葉類を搬送路に沿って搬送する搬送手段と、
前記搬送路を遮るように結束帯を送り出し、前記集積紙葉類の搬送により前記結束帯が押し込まれるとき、これに同期して結束帯を繰出して前記集積紙葉類に掛け渡す繰出手段と、
この繰出手段により繰出された結束帯を切断する切断手段と、
ヒータ部とこのヒータ部に接離自在に接触されて加熱される押圧部を有し、この押圧部を前記ヒータ部から離間させて移動させることにより、前記切断手段により切断された結束帯の端部を前記集積紙葉類に巻き付けられた結束帯のもう一方の端部に押し付けることにより、加熱して接着させる接着手段と、
を具備することを特徴とする紙葉類結束装置。
【請求項７】
集積紙葉類を搬送する搬送手段と、
この搬送手段により搬送される集積紙葉類に結束帯を掛け渡して結束する結束手段と、
この結束手段により結束された集積紙葉類の結束帯に押印面を押し付けて情報を押印する押印手段と、
この押印手段の押印面を覆うように設けられ、前記押印面の押印動作に伴って前記押印面の覆いを解除するカバー手段と、
を具備することを特徴とする紙葉類結束装置。
【請求項８】
複数枚の紙葉類を種類ごとに分けて集積する複数の集積部と、
この複数の集積部に集積された集積紙葉類を受け取るために移動し、集積紙葉類を受け取る小束ハンド部と、
この小束ハンド部から集積紙葉類を受け取る受取部と、
前記集積紙葉類に結束帯を繰出し、掛け渡す帯繰出手段と、
この帯繰出手段により、繰出された結束帯を切断する切断手段と、
この切断手段により切断された結束帯の端部を前記集積紙葉類に掛け渡された結束帯のもう一方の端部に接着させる接着手段と、
を具備することを特徴とする紙葉類結束装置。
【請求項９】
前記複数の集積部は上下方向に設けられていることを特徴とする請求項８に記載の紙葉類結束装置。
【請求項１０】
前記複数の集積部は上下２段に設けられていることを特徴とする請求項８に記載の紙葉類結束装置。
【請求項１１】
前記小束ハンド部は、前記紙葉類の集積方向に移動することを特徴とする請求項８に記載の紙葉類結束装置。
【手続補正２】
【補正対象書類名】明細書
【補正対象項目名】００２０
【補正方法】変更
【補正の内容】
【００２０】
請求項７記載のものは、集積紙葉類を搬送する搬送手段と、この搬送手段により搬送される集積紙葉類に結束帯を掛け渡して結束する結束手段と、この結束手段により結束された集積紙葉類の結束帯に押印面を押し付けて情報を押印する押印手段と、この押印手段の押印面を覆うように設けられ、前記押印面の押印動作に伴って前記押印面の覆いを解除するカバー手段とを具備する。
請求項８記載のものは、複数枚の紙葉類を種類ごとに分けて集積する複数の集積部と、この複数の集積部に集積された集積紙葉類を受け取るために移動し、集積紙葉類を受け取る小束ハンド部と、この小束ハンド部から集積紙葉類を受け取る受取部と、前記集積紙葉類に結束帯を繰出し、掛け渡す帯繰出手段と、この帯繰出手段により、繰出された結束帯を切断する切断手段と、この切断手段により切断された結束帯の端部を前記集積紙葉類に掛け渡された結束帯のもう一方の端部に接着させる接着手段とを具備する。